(57)【要約】【課題】アイコンインタフェースの操作制御方法の提供。【解決手段】本発明はディスプレイスクリーンに表示されるアイコンインタフェースと組み合わせられて使用者にクリックして選択させる操作制御方法であり、その方法は少なくとも以下のステップ、すなわち、メニューページ起動、手指のタッチパネルへの接触を検出し並びに手指中心座標を算出する、手指中心位置をスクリーンに対応させる、対応するアイコンが図形変化を発生する、タッチ位置ずれ防止対策実行、選択されたアイコンの機能を実行、以上を包含し、以上のステップにより、使用者はスクリーンを通して対応するアイコンメニューを表示して機能選択の操作を行え、見やすく機能選択操作が速やかに簡単に行える。【選択図】図４
2009223532.tif 000002
【特許請求の範囲】
【請求項１】
アイコンインタフェースの操作制御方法において、
アイコンメニューページを起動するステップ、
手指のタッチパネルへのタッチを検出し並びに手指中心座標を算出するステップ、
手指中心位置をスクリーンに対応させるステップ、
対応するアイコンに図形変化を発生させるステップ、
タッチ位置ずれ防止対策を実行するステップ、
選択されたアイコンの機能を実行するステップ、
以上のステップを包含することを特徴とする、アイコンインタフェースの操作制御方法。
【請求項２】
請求項１記載のアイコンインタフェースの操作制御方法において、アイコンメニューページを起動するステップでは、ディスプレイのスクリーン上に複数のアイコンを表示することを特徴とする、アイコンインタフェースの操作制御方法。
【請求項３】
請求項１記載のアイコンインタフェースの操作制御方法において、アイコンメニューページを起動するステップでは、スクリーンとタッチパネルの座標の対応には絶対座標法が採用され、並びに一対一の方式の対応とされることを特徴とする、アイコンインタフェースの操作制御方法。
【請求項４】
請求項１記載のアイコンインタフェースの操作制御方法において、アイコンメニューページを起動するステップでは、そのスクリーン上のアイコンの分布位置に対応するように、該タッチパネルに一つ以上のエリアが区分されたことを特徴とする、アイコンインタフェースの操作制御方法。
【請求項５】
請求項１記載のアイコンインタフェースの操作制御方法において、手指のタッチパネルへのタッチを検出し並びに手指中心座標を算出するステップでは、該タッチパネルにより手指タッチ信号を検出し、並びに手指中心位置の座標を計算することを特徴とする、アイコンインタフェースの操作制御方法。
【請求項６】
請求項１記載のアイコンインタフェースの操作制御方法において、手指中心位置をスクリーンに対応させるステップでは、該タッチパネル上の座標が該スクリーン上の座標に対応し、手指中心位置が該スクリーン上の一つの対応位置に対応することを特徴とする、アイコンインタフェースの操作制御方法。
【請求項７】
請求項１記載のアイコンインタフェースの操作制御方法において、手指中心位置をスクリーンに対応させるステップでは、スクリーン上の対応位置にカーソルを発生することを特徴とする、アイコンインタフェースの操作制御方法。
【請求項８】
請求項１記載のアイコンインタフェースの操作制御方法において、対応するアイコンに図形変化を発生させるステップでは、該手指中心のスクリーン上の対応位置が、そのアイコンの設定面積カバー範囲にある時、そのアイコンが図形変化を発生することを特徴とする、アイコンインタフェースの操作制御方法。
【請求項９】
請求項１記載のアイコンインタフェースの操作制御方法において、タッチ位置ずれ防止対策を実行するステップでは、該手指が該タッチパネルにタッチした時、該手指中心の、該スクリーン上の対応位置が、そのアイコンの設定面積カバー範囲に位置する時、該タッチパネルのタッチ有効エリアを暫時拡大し、タッチ位置ずれの救済となすことを特徴とする、アイコンインタフェースの操作制御方法。
【請求項１０】
請求項９記載のアイコンインタフェースの操作制御方法において、タッチパネルのタッチ有効エリアを暫時拡大する際には、その境界エリアまで拡大することを特徴とする、アイコンインタフェースの操作制御方法。
【請求項１１】
請求項１記載のアイコンインタフェースの操作制御方法において、タッチ位置ずれ防止対策を実行するステップでは、時間を軸とし、前向きに、前のある時間内のアイコンを追認し、タッチ過程中に手指中心がそのアイコンから位置ずれを発生しても、そのアイコンがタッチされたと認定することを特徴とする、アイコンインタフェースの操作制御方法。
【請求項１２】
請求項１記載のアイコンインタフェースの操作制御方法において、選択されたアイコンの機能を実行するステップでは選択されたアイコン機能の出力を実行することを特徴とする、アイコンインタフェースの操作制御方法。
【請求項１３】
請求項１記載のアイコンインタフェースの操作制御方法において、アイコンメニューページを起動するステップは、手指のタッチパネルへのタッチを検出し並びに手指中心座標を算出するステップの後に実行されることを特徴とする、アイコンインタフェースの操作制御方法。
【請求項１４】
請求項１３記載のアイコンインタフェースの操作制御方法において、アイコンメニューページを起動するステップは、手指のタッチパネルへのタッチを検出し並びに手指中心座標を算出するステップの後に実行され、この手指のタッチパネルへのタッチを検出し並びに手指中心座標を算出するステップが不成立の時には、手指が該タッチパネルを離れて設定時間に達したことを検出した後に、アイコンメニュ−ページの起動が取り消され、並びにもとの画面に回復することを特徴とする、アイコンインタフェースの操作制御方法。
【発明の詳細な説明】
【技術分野】
【０００１】
本発明は一種のアイコンインタフェースの操作制御方法に係り、特にディスプレイスクリーンに表示されるアイコンインタフェースと組み合わせられて使用者にクリックさせ機能を選択させる操作制御方法であり、見やすく機能選択操作が速やかに簡単に行える操作制御方法に関する。
【背景技術】
【０００２】
一般に電子商品の操作は、使用者の操作に便利なように、多くがリモートコントロール機能を具え、このためリモートコントローラーを使用しての遠隔操作が各種の電子商品に必須の機能となっており、電器の機能の複雑化に伴い、多くの電器製品機能は相当に多くなり、例えばＤＶＤ、ＭＰ３プレイヤー、カーナビゲーションシステム、デジタルテレビ等は、多機能を提供するためにリモートコントローラーのボタンが増加し、多くのものは更に複合ボタンを使用し、すなわち同一のボタンで異なる状態で異なる機能を操作できるものとされる。ただし、このようなリモートコントロール方式はその操作が相当に複雑であり、使用者の学習時間が引き延ばされ、このため大部分の使用者が一部の簡単な機能しか使用しないという事態をもたらす。
【０００３】
同様に複雑な機能を具えたコンピュータウインドウインタフェースは、使用者の学習を非常に容易とし、その理由は、現在のコンピュータウインドウインタフェースは、アイコンインタフェースを使用し、マウスカーソルをディスプレイ上の図形（アイコン）上に移動させると、文字説明が表示されることで、使用者の探索のステップを減らせるためである。さらに、コンピュータの普及により、ほとんどの人はすでにアイコンインタフェース操作に慣れており、電器製品の操作をコンピュータの操作方式に類似となるよう設計すれば、使用者はより操作に慣れることができる。
【０００４】
上述の周知の電子製品の操作方式は、すでに早期のボタン式リモートコントロールから、例えば特許文献１のように、タッチパネルを具えたリモートコントロール装置Ｌへとグレードアップしている（図１）。しかし、その制御方式はほとんどがタッチパネルＬ０上に複雑な複合機能キーＬ１を設けて、異なる機能の命令操作を行えるようにしており、タッチパネルＬ０の画面は機能の違いに応じて変化し、同じタッチエリアに往々にして異なる画面下で、異なる操作機能が出現する。その最大の欠点は、操作が複雑すぎ、且つリモートコントローラーＬのタッチパネルＬ０の制限のために、その表示する字体は小さくなり、操作者の目に過度の負担がかかることである。また、マウスを利用したタッチパネルの設計には例えば特許文献２があり、それは、該マウス上のタッチパネルを利用し操作命令の入力を行うが、前述の特許文献１の欠点を依然として克服できていない。
【０００５】
【特許文献１】台湾特許公告第Ｉ２４８２６１号明細書
【特許文献２】台湾特許公告第Ｍ２８１２２８号明細書
【発明の開示】
【発明が解決しようとする課題】
【０００６】
本発明の目的は、一種のアイコンインタフェースの操作制御方法を提供することにあり、それはディスプレイスクリーンに表示されるアイコンメニューインタフェースに組み合わされて、使用者にクリックさせて機能選択させ、使用者がスクリーンを通して対応するアイコンメニューを表示して機能選択の操作を行え、見やすく機能選択操作が速やかに簡単に行えるようにする操作制御方法であるものとする。
【課題を解決するための手段】
【０００７】
本発明は一種のアイコンインタフェースの操作制御方法を提供し、それは、ディスプレイスクリーンに表示されるアイコンインタフェースと組み合わせられて使用者にクリックして選択させる操作制御方法であり、その方法は少なくとも以下のステップ、すなわち、  アイコンメニューページ起動、
手指のタッチパネルへの接触を検出し並びに手指中心座標を算出する、
手指中心位置をスクリーンに対応させる、
対応するアイコンに図形変化を発生させる、
タッチ位置ずれ防止対策実行の、
選択されたアイコンの機能を実行する、
以上のステップを包含し、以上のステップにより、使用者はスクリーンを通して対応するアイコンメニューを表示して機能選択の操作を行え、見やすく機能選択操作が速やかに簡単に行える。
【０００８】
上述の本発明のアイコンインタフェースの操作制御方法によると、該タッチパネルの座標計算はカーテシアン座標系を採用する。
【０００９】
上述の本発明のアイコンインタフェースの操作制御方法によると、該タッチパネルの座標値は絶対座標値を採用し、並びに手指の該タッチパネルにタッチする位置を該ディスプレイのスクリーン上のカーソルの出現の根拠となす。
【００１０】
また、上述の本発明のアイコンインタフェースの操作制御方法によると、該メニューページ起動の後に、手指のタッチパネルへの接触を検出し並びに手指中心座標を算出するステップで、該手指のタッチパネルへの接触を検出し並びに手指中心座標を算出するステップが不成立の時、手指が該タッチパネルより離れて設定時間に至ったことを検出すると、メニューページ起動を取り消し、もとの画面に戻る。
【発明の効果】
【００１１】
総合すると、本発明の方法は使用者に親しみやすいアイコン形式の下でリモートコントロール操作を行わせることができ、使用者の探索の時間を短縮でき、これにより本発明は特に実用性と進歩性を有し、周知の技術の欠点を解決する。
【発明を実施するための最良の形態】
【００１２】
図２は本発明をリモートコントロール装置に使用する実施例表示図である。該リモートコントロール装置１は、少なくとも一つのタッチスイッチ１２にディスプレイ２が組み合わされてなり、該タッチスイッチ１２はタッチ入力機能を実行し、その上にタッチパネル１１が設けられ、該タッチパネル１１は手指によるタッチを検出しその位置を検出するのに用いられ、且つ該タッチパネル１１はシステムにより制御され、一対一の方式で、該ディスプレイ２のスクリーン２０上の座標に対応し（図３）、さらに、該スクリーン２０上のアイコン２１に併せてエリア分布が形成され、少なくとも二つの対応する対応するエリアに分けられる。以上の部品の組み合わせにより、本発明の操作制御方法の作動が提供され、その操作制御方法は図４に示されるように、少なくとも以下のステップを包含する。
【００１３】
メニューページ起動（ステップ３００）：ディスプレイ２のスクリーン２０上に複数のアイコン２１の画面を表示し、該タッチパネル１１とディスプレイ２のスクリーン２０上の座標計算はカーテシアン座標系を採用し、且つ該タッチパネル１１は一対一の方式で、該ディスプレイ２のスクリーン２０上の座標に対応する（例えば絶対座標法で表示する）。
手指のタッチパネルへの接触を検出し並びに手指中心座標を算出する（ステップ４００）：手指Ｍがタッチパネル１１に接触した時、該タッチパネル１１が該手指Ｍのタッチの信号を検出し、並びに手指中心Ｍ１の座標を計算し、並びにステップ５００を実行し、手指Ｍのタッチの信号を検出しなければ、ステップ３００に戻る。
手指中心位置をスクリーンに対応させる（ステップ５００）：該タッチパネル１１上の座標はスクリーン２０上の座標に対応し、手指中心Ｍ１の位置は該スクリーン２０上の一つの対応位置Ａに対応し、該対応位置Ａでカ−ソル２２を発生する。
対応するアイコンに図形変化を発生させる（ステップ６００）：手指中心Ｍ１のスクリーン２０上の対応位置Ａが設定されたアイコン２１の設定面積カバー範囲Ｂに位置する時（図５）、該アイコン２１が図形変化を発生する(白色表示或いはフレ−ム表示２３）。
タッチ位置ずれ防止対策を実行する（ステップ７００）：手指Ｍで該タッチパネル１１をタッチする時、その手指中心Ｍ１は該スクリーン２０上の対応位置Ａに対応し（図５）、それが該アイコン２１の設定面積カバー範囲Ｂに位置する時、暫時該タッチパネル１１のタッチ有効エリア１１０をその境界エリアＣまで拡大し、これによりタッチ操作時にタッチポイントＭ２が位置ずれする時の救済対策となす。
【００１４】
上述のステップにより、使用者はカ−ソル２２を移動する方式により、必要なアイコンをクリックして機能を選択できる。
【００１５】
図７、８、９を参照されたい。本発明中、ステップ６００の第２実施例によると、アイコンの選択をさらに便利とするため、スクリーン２０上の起動されたアイコンメニュー（ステップ３００参照）において、そのアイコン２４１、２４２、２４３の分布位置に対応するように、タッチパネル１１が一つ以上のエリア１１１、１１２、１１３に区分され、使用者が直接アイコン２４１、２４２、２４３の代表するエリア１１１、１１２、１１３に直接タッチすることで、入力の操作を行え、カ−ソル２２１を移動する操作を必要としない。また、図８に示されるように、該スクリーン２０がアイコン２４４、２４５、２４６、２４７、２４８を有するほか、その他の提示文字Ｔを有する時、該タッチパネル１１もまたそれに対応するように一つ以上のエリア１１４、１１５、１１６、１１７、１１８に区分され、ステップ６００はさらに以下のサブステップを包含する。
ａ．複数のアイコンが出現する（ステップ６２１）：スクリーン２０が複数のアイコン２４４、２４５、２４６、２４７、２４８（図８参照）を表示し、且つ該タッチパネル１１が該スクリーン２０の複数のアイコン２４４、２４５、２４６、２４７、２４８に対応するように、一つ以上のエリア１１４、１１５、１１６、１１７、１１８に区分される。
ｂ．手指位置座標を計算する（ステップ６２２）：手指中心Ｍ１の該タッチパネル１１における座標位置を取得する。
ｃ．カーソル生成（ステップ６２３）：スクリーン２０の該タッチパネル１１の手指中心Ｍ１のタッチに対応する座標位置、すなわち、スクリーン２０上の対応位置Ａにカーソル２２１を表示し、使用者に手指Ｍのタッチの位置を了解させ、該カーソル２２１は提示符号（例えば矢印或いは十字の符号とする）。
ｄ．アイコンが図形変化を発生する（ステップ６２４）：手指中心Ｍ１の所在位置のエリア１１４、１１５、１１６、１１７、１１８は、該スクリーン２０に表示されるアイコン２４４、２４５、２４６、２４７、２４８に対応し、該アイコン２４４、２４５、２４６、２４７、２４８は図形変化を発生し得て（白色表示或いはフレーム表示２４５１）、並びにステップ７００を実行する。
【００１６】
図１０を図８と共に参照されたい。図１０は本発明の対応するアイコンが図形変化を発生するステップ６００の第３実施例を示し、そのサブステップは以下を包含する。
ａ．手指位置座標を計算し（ステップ６３１）、手指中心Ｍ１の該タッチパネル１１における座標位置を取得する。
ｂ．カーソル生成（ステップ６３２）：スクリーン２０の該タッチパネル１１の手指中心Ｍ１のタッチに対応する座標位置、すなわち、スクリーン２０上の対応位置Ａにカーソル２２１を表示し、使用者に手指中心Ｍ１のタッチ位置を了解させ、該カーソル２２１は提示符号（例えば矢印或いは十字の符号とする）。
ｃ．手指が離れる時（ステップ６３３）：手指Ｍが該タッチパネル１１を離れて設定時間に達すると（該設定時間はシステムにより設定される）、ステップ６３４を実行し、達しなければステップ６３５を実行する。
ｄ．カーソル消失（ステップ６３４）：スクリーン２０上に表示されたカ−ソル２２１が消失し、並びにステップ３００を実行。
ｅ．アイコンが図形変化を発生する（ステップ６３５）：手指中心Ｍ１の所在位置のエリア１１４、１１５、１１６、１１７、１１８は、該スクリーン２０に表示されるアイコン２４４、２４５、２４６、２４７、２４８に対応し、該アイコン２４４、２４５、２４６、２４７、２４８は図形変化を発生し得て（白色表示或いはフレーム表示２４５１）、並びにステップ７００を実行する。
【００１７】
以上のステップにより、使用者が手指をタッチパネル１１より離して設定時間に達すると、カ−ソル２２１が消失し、スクリーン２０の画面がアイコンメニュー起動に戻り、使用者の再操作に便利である。
【００１８】
図１１を図８と共に参照されたい。図１１は本発明の対応するアイコンが図形変化を発生するステップ６００の第４実施例であり、そのサブステップは以下を包含する。
ａ．複数のアイコンが出現する（ステップ６４１）：スクリーン２０が複数のアイコン２４４、２４５、２４６、２４７、２４８を表示し、且つ該タッチパネル１１が該スクリーン２０の複数のアイコン２４４、２４５、２４６、２４７、２４８に対応するように、一つ以上のエリア１１４、１１５、１１６、１１７、１１８に区分される。
ｂ．手指位置座標を計算する（ステップ６４２）：手指中心Ｍ１の該タッチパネル１１における座標位置を取得する。
ｃ．カーソル生成（ステップ６４３）：スクリーン２０の該タッチパネル１１の手指中心Ｍ１のタッチに対応する座標位置、すなわち、スクリーン２０上の対応位置Ａにカーソル２２１を表示し、使用者に手指Ｍのタッチの位置を了解させ、該カーソル２２１は提示符号（例えば矢印或いは十字の符号とする）。
ｄ．手指が離れる時（ステップ６４４）：手指Ｍが該タッチパネル１１を離れて設定時間に達すると（該設定時間はシステムにより設定される）、ステップ６４５を実行し、達しなければステップ６４６を実行する。
ｅ．カーソル消失（ステップ６４５）：スクリーン２０上に表示されたカ−ソル２２１が消失し、並びにステップ３００を実行。
ｆ．アイコンが図形変化を発生する（ステップ６４６）：手指中心Ｍ１の所在位置のエリア１１４、１１５、１１６、１１７、１１８は、該スクリーン２０に表示されるアイコン２４４、２４５、２４６、２４７、２４８に対応し、該アイコン２４４、２４５、２４６、２４７、２４８は図形変化を発生し得て（白色表示或いはフレーム表示２４５１）、並びにステップ７００を実行する。
【００１９】
以上のステップにより、使用者が手指をタッチパネル１１より離して設定時間に達すると、カ−ソル２２１が消失し、ディスプレイ２のスクリーン２０の画面がアイコンメニュー起動に戻り、使用者の再操作に便利である。
【００２０】
アイコンの選択の制御を更に正確となすため、本発明はそのタッチ位置ずれ防止対策実行のステップ７００が更に以下のサブステップを包含する（図４、１２、１３参照）。
ａ．手指中心Ｍ１のタッチ位置のスクリーン２０上の対応位置が、アイコン設定面積カバー範囲にある（ステップ７０１）：タッチパネル１１上に設けられた複数のエリア１１９はスクリーン２０上の複数のアイコン２５１に対応し、手指中心Ｍ１が該タッチパネル１１上のエリア１１９にタッチするとき、該スクリーン２０上のそれに対応する対応位置Ａが、アイコン２５１の設定面積カバー範囲Ｂにある時（図１３の斜線部分）、ステップ７０２を実行する。
ｂ．有効エリア拡大（ステップ７０２）：手指中心Ｍ１所在位置に対応する該スクリーン２０の表示の対応位置Ａがアイコン２５１の設定面積カバー範囲Ｂに位置する時、該タッチパネル１１上の該アイコン２５１（例えばＫの文字）に対応するエリア１１９はその有効エリアが四周に向けて拡大し境界エリアＤにいたり、これにより手指Ｍで該エリア１１９をタッチするとき、そのタッチポイントＭ２が比較的大きなタッチエリアを有することができる。
ｃ．タッチパネルへのタッチ動作検出（ステップ７０３）：手指Ｍのタッチの力が設定値より大きい時、タッチ動作が成立したと見なし、ステップ８００を実行し、設定値より小さければステップ３００を実行する。
【００２１】
図４、１４、１５、１６は本発明のタッチ位置ずれ防止対策実行のステップ７００の第２実施例であり、このステップ７００はアイコンの有効エリア拡大のほか、時間を軸とし、それまでの所定の時間内のアイコンを追跡し、もしタッチ過程中に手指Ｍのタッチポイントに位置ずれが発生した場合、依然としてこのアイコンがタッチされたと認定し、そのサブステップは以下を包含する。
ａ．手指移動をスタック記録（ステップ７１１）：手指中心Ｍ１のタッチパネル１１の位置を記録し、且つファーストインファーストアウトのスタック原則を採用し、メモリ空間中にあって（例えば図１５のように５つの枡に設定する）不断に新しい手指中心Ｍ１の位置の座標値Ｘ１、Ｘ２、Ｘ３、Ｘ４、Ｘ５、Ｘ６、Ｘ７をメモリ空間Ｓに記録し、並びに最先の手指中心Ｍ１の位置の座標値を除去する。
ｂ．タッチパネルのタッチ動作を検出（ステップ７１２）：手指中心Ｍ１のタッチの力が設定値より大きい時、タッチ動作が成立したと見なし、ステップ７１３を実行する。
ｃ．最後のアイコン取得（ステップ７１３）：メモリ空間Ｓ中の手指中心Ｍ１の位置の座標値Ｘ１、Ｘ２、Ｘ３、Ｘ４、Ｘ５、Ｘ６、Ｘ７を前から順に逐一取り出し、スクリーン２０上のアイコン２５２に対応させ、もし、座標値Ｘ１、・・・、Ｘ７は該アイコン２５２の設定面積カバー範囲Ｂに属するなら、該アイコン２５２を選定し、並びにステップ８００を実行する。
【００２２】
上述のステップにより、使用者の手指がタッチパネル１１にタッチする時、メモリ空間Ｓは不断に手指中心Ｍ１の位置の座標値Ｘ１、・・・、Ｘ７を更新し、もし、使用者の手指が単位時間Ｔ１〜Ｔ７内において、タッチパネル１１上での移動位置の前後順序がそれぞれ座標値Ｘ１〜Ｘ７（スクリーン２０上の対応位置はＰ１〜Ｐ７）であれば、タッチパネルのタッチ動作検出（ステップ７１２）の後、最後のアイコンを選択（ステップ７１３）する時、メモリ空間Ｓ中の手指中心Ｍ１の位置の座標値Ｘ１、・・・、Ｘ７を順に逐一取り出し、スクリーン２０のアイコン２５２に対応させ、このとき、最近のものはただ時間Ｔ４の時、手指中心Ｍ１のタッチパネル１１のＸ４位置の座標値がアイコン２５２の入力可能で、ゆえにこのアイコン２５２を選定する。これにより操作者がタッチパネル１１にタッチする時、該アイコン２５２に対する確認上の遅延（例えば、思考、観察等の因子）が形成する誤動作を防止でき、たとえば、手指中心Ｍ１が該タッチパネル１１上の該アイコン２５２を代表するエリア１１０’にある時間停留し、タッチ時に手指中心Ｍ１が加圧することで手指Ｍが移動する（通常下向きに移動）し、タッチパネルのタッチ動作検出（ステップ７１２）が成立するまでに、すでに意図せぬ移動が発生し（すなわち手指位置がＸ４からＸ７に移動）、且つこの移動はすでに該アイコン２５２を代表するエリア１１０’外に移出し（たとえば位置Ｘ７）、誤動作を発生する。ゆえに、上述のステップによりこの欠点を解決する必要があるのである。
【図面の簡単な説明】
【００２３】
【図１】周知のリモートコントロール装置の表示図である。
【図２】本発明のリモートコントロール装置の表示図である。
【図３】本発明の実施例の表示図一である。
【図４】本発明の方法のフローチャートである。
【図５】本発明の実施例の表示図二である。
【図６】本発明の対応するアイコンが図形変化を発生するステップの第１実施例フローチャートである。
【図７】本発明の実施例の表示図三である。
【図８】本発明の実施例の表示図四である。
【図９】本発明の対応するアイコンが図形変化を発生するステップの第２実施例フローチャートである。
【図１０】本発明の対応するアイコンが図形変化を発生するステップの第３実施例フローチャートである。
【図１１】本発明の対応するアイコンが図形変化を発生するステップの第４実施例フローチャートである。
【図１２】本発明のタッチ位置ずれ防止対策のステップの第１実施例フローチャートである。
【図１３】本発明のタッチ位置ずれ防止対策のステップの第１実施例表示図である。
【図１４】本発明のタッチ位置ずれ防止対策のステップの第２実施例フローチャートである。
【図１５】本発明のタッチ位置ずれ防止対策のステップの第２実施例表示図である。
【図１６】本発明のタッチ位置ずれ防止対策のステップの第２実施例のメモリ空間と時間関係図である。
【符号の説明】
【００２４】
１  リモートコントロール装置
１２  タッチスイッチ
２  ディスプレイ
１１  タッチパネル
２０  スクリーン
２１  アイコン
Ｍ  手指
Ｍ１  手指中心
Ａ  対応位置
２２  カーソル
Ｂ  設定面積カバー範囲
１１０  タッチ有効エリア
Ｃ  境界エリア
Ｍ２  タッチポイント
２４１、２４２、２４３  アイコン
１１１、１１２、１１３  エリア
２２１  カ−ソル
２４４、２４５、２４６、２４７、２４８  アイコン
Ｔ  提示文字
１１４、１１５、１１６、１１７、１１８  エリア
Ｘ１、Ｘ２、Ｘ３、Ｘ４、Ｘ５、Ｘ６、Ｘ７  座標値
Ｓ  メモリ空間
２５２  アイコン
Ｔ１〜Ｔ７  単位時間
【図１】
2009223532.tif 000003
【図２】
2009223532.tif 000004
【図３】
2009223532.tif 000005
【図４】
2009223532.tif 000006
【図５】
2009223532.tif 000007
【図６】
2009223532.tif 000008
【図７】
2009223532.tif 000009
【図８】
2009223532.tif 000010
【図９】
2009223532.tif 000011
【図１０】
2009223532.tif 000012
【図１１】
2009223532.tif 000013
【図１２】
2009223532.tif 000014
【図１３】
2009223532.tif 000015
【図１４】
2009223532.tif 000016
【図１５】
2009223532.tif 000017
【図１６】
2009223532.tif 000018